(57)【要約】【課題】引出部の底板外側面にローラを備えた収納ボックスにおいて、引出部の横ずれを抑制することのできる収納ボックスを提供する。【解決手段】ボックス底板の内側面には、ボックス部の前後方向に延びる一対の転動面２３が設けられている。転動面２３には、ボックス部の前後方向に延びる平坦面２３ａが設けられているとともに、転動面２３の幅方向におけるボックス底板１１の中央側には、平坦面２３ａに対して上方向に傾斜する傾斜面２３ｂが形成されている。傾斜面２３ｂは、その幅方向の長さＺ１の最大値がボックス部のボックス側板内側面と引出部の引出側板の外側面との間隙距離Ｚ２よりも長く形成されている。さらに、傾斜面２３ｂのうち最も上方に存在する最頂部Ｔの平坦面２３ａからの上下方向長さＨの最大値は、引出部の引出ローラ６８の半径Ｒよりも小さく設定されている。【選択図】図５
2010029566.tif 000002
【特許請求の範囲】
【請求項１】
前面側に開口を有する四角箱状のボックス部と、上面側に開口を有するとともにボックス部に対して出し入れ可能な四角箱状の引出部とを備えた収納ボックスであって、
引出部にはローラが設けられているとともに、ボックス部の底板の内側面にはローラが転動する転動面が設けられ、
該転動面には、ボックスの前後方向に沿って延びる平坦面と、平坦面の幅方向側部において平坦面に対して上方向に傾斜する傾斜面とが形成されていることを特徴とする収納ボックス。
【請求項２】
傾斜面のボックス部の最も前面側における幅寸法は、引出部をボックス部に入れた状態における引出部の側板の外側面とボックス部の側板の内側面との間隙距離よりも長く形成されていることを特徴とする請求項１に記載の収納ボックス。
【請求項３】
傾斜面のうち最も上方に存在する最頂部における平坦面からの上下方向長さの最大値がローラの半径よりも小さくなっていることを特徴とする請求項１又は請求項２に記載の収納ボックス。
【発明の詳細な説明】
【技術分野】
【０００１】
本発明は、四角箱状のボックス部と、該ボックス部に対して出し入れ可能な四角箱状の引出部とを備えた収納ボックスに関する。
【背景技術】
【０００２】
前面側に開口を有する四角箱状のボックス部に対して、上面側に開口を有する四角箱状の引出部を出し入れ可能に収容した収納ボックスが知られている。この種の収納ボックスにおいて、引出部の底板の外側面にローラを設け、該ローラがボックス部の内側面を転動するようにしたものが提案されている。
【０００３】
特許文献１の収納ボックスでは、引出部の底板の外側面における後端部に回転ローラが設けられており、ボックス部の底板の内側面を転動するようになっている。したがって、引出部を引き出したり、押し入れたりする際には、回転ローラがボックス部の底板の内側面を転動しつつ引出部が移動することになり、円滑な引出部の引き出し、押し入れ作業が可能となる。
【特許文献１】特開２００２−３２６６３２号公報
【発明の開示】
【発明が解決しようとする課題】
【０００４】
特許文献１の収納ボックスにおいて、引出部を引き出したり、押し入れたりする際、引出部にボックス部の前後方向に対して左右斜め方向の力がかかると、引出部が横ずれすることがある。このように横ずれが発生した状態では、ボックス部の前後方向に対して回転ローラの転動方向が左右斜め方向を指向するため、円滑な引出部の引き出し、押し入れ作業を妨げることになる。また、引出部に横ずれが発生していると、引出部の外側面と本体部の内側面とが摺動しつつ引出部が移動することになり、これも円滑な引出部の引き出し、押し入れ作業の妨げとなる。
【０００５】
本発明は、このような従来技術の問題点を鑑みてなされたものであって、その目的は、引出部にローラを備えた収納ボックスにおいて、引出部の横ずれを抑制することのできる収納ボックスを提供することにある。
【課題を解決するための手段】
【０００６】
上記の目的を達成するために、請求項１に記載の発明は、前面側に開口を有する四角箱状のボックス部と、上面側に開口を有するとともにボックス部に対して出し入れ可能な四角箱状の引出部とを備えた収納ボックスであって、引出部にはローラが設けられているとともに、ボックス部の底板の内側面にはローラが転動する転動面が設けられ、該転動面には、ボックスの前後方向に沿って延びる平坦面と、平坦面の幅方向側部において平坦面に対して上方向に傾斜する傾斜面とが形成されていることを特徴としている。
【０００７】
この構成によれば、転動面には、平坦面とその平坦面に対して上方向に傾斜する傾斜面が形成されているので、引出部のローラが幅方向に横ずれしにくい。また、仮に、引出部が幅方向に横ずれして、引出部のローラが傾斜面に乗り上げたとしても、引出部の自重により傾斜面を下って、平坦面に戻ることができる。
【０００８】
請求項２に記載の発明は、請求項１に記載の収納ボックスにおいて、傾斜面のボックス部の最も前面側における幅寸法は、引出部をボックス部に入れた状態における引出部の側板の外側面とボックス部の側板の内側面との間隙距離よりも長く形成されていることを特徴としている。
【０００９】
引出部をボックス部から引き出す際には引出部がボックス部に対して横ずれすることがある。とくに、この横ずれは、引出部がボックス部から最も引き出された際により大きくなりがちである。この構成によれば、横ずれ幅が大きくなりがちな引出部の配置に対応して傾斜面の幅寸法が設定されているため、ローラの転動面からの脱輪を抑制する。
【００１０】
請求項３に記載の発明は、請求項１又は請求項２に記載の収納ボックスにおいて、傾斜面のうち最も上方に存在する最頂部における平坦面からの上下方向長さの最大値がローラの半径よりも小さくなっていることを特徴としている。
【００１１】
ローラの支持軸やローラを支持軸に取り付けるための部材が傾斜面に接触することは、引出部の引出具合を良好するためには避けなければならない。この構成のようにローラの半径に対して傾斜面の上下方向長さが設定されていれば、そうした接触が未然に抑制される。したがって、引出部の良好な引出具合が確保される。
【発明の効果】
【００１２】
本発明の収納ボックスによれば、引出部のローラが幅方向に横ずれしにくく、仮に横ずれして引出部のローラが傾斜面に乗り上げたとしても、引出部の自重により傾斜面を下って、平坦面に戻ることができる。
【発明を実施するための最良の形態】
【００１３】
以下、本発明の収納ボックスを図面に基づいて説明する。図１に示すように、本発明の収納ボックスのボックス部１は、前面側に開口を有する四角箱状に形成されているとともに、収納ボックスの引出部６は、上面側に開口を有するとともにボックス部１に対して出し入れ可能な四角箱状に形成されている。なお、以下の説明では、図１に示すように、組み立てられた状態のボックス部１及び引出部６を基準として上下方向（高さ方向）、左右方向（幅方向）を規定している。また、引出部６が引き出される方向を前方向、押し入れられる方向を後方向としている。さらに、ボックス部１及び引出部６を組み立てた状態を基準として、外側及び内側を規定している。
【００１４】
（ボックス部１の構成）
先ず、ボックス部１について説明する。図２に示すように、ボックス部１は、ボックス本体１０に天板５０及び口枠５５が取り付けられることで組み立てられた状態をなしている。ボックス本体１０は、長四角板状に形成されたボックス底板１１の両側縁にそれぞれボックス側板３１が回動可能に連結されるとともに、ボックス底板１１の後縁にボックス背板４１が回動可能に連結されている。
【００１５】
図４（ａ）に示すように、ボックス底板１１の側縁には、ボックス側板３１と連結、嵌合するための立設部１２が立設されている。立設部１２は、図５（ｂ）に示すように、断面逆Ｕ字状に形成されて内部が中空になっている。そして、図５（ａ）に示すように、立設部１２には、上端面から下方向に四角形状に切欠き凹設された側板ヒンジ連結部１３が形成されている。図７（ａ）〜（ｃ）に示すように、この側板ヒンジ連結部１３の前端面及び後端面には、溝部１３ａが上下方向に延設されている。なお、図７（ａ）〜（ｃ）は、図４（ａ）におけるＥ−Ｅ線断面図であり、側板ヒンジ連結部１３の後端面が図示されている。そして、図４（ａ）及び図５（ｂ）に示すように、立設部１２の上端面には側板嵌合凹部１４が形成されている。
【００１６】
一方、図４（ｂ）及び図９に示すように、ボックス底板１１の下面（外側面）後縁には、ボックス背板４１と連結するための収容部１５が設けられている。収容部１５は、ボックス底板１１の下面に形成されたリブによって前方及び両側方が囲まれることによって形成されている。そして、収容部１５の側面、すなわち、側方のリブ１５ｃには、溝部１５ａが前後方向に延設されている。さらに、ボックス底板１１の前端面には、口枠５５と嵌合するための口枠嵌合凸部１６が形成されている。そして、この口枠嵌合凸部１６の下面（外側面）には、ボックス底板１１の幅方向に延びるとともに外方（下方）に向かって突出する係止突起１６ａが形成されている。なお、図９では、ボックス底板１１を下側から見た状態を図示している。
【００１７】
図１２に示すように、ボックス底板１１は、その一部が外側に向かって断面四角形状に膨出されることで脚部１７が形成されている。図４（ａ）及び（ｂ）に示すように、本実施形態では、脚部１７はボックス底板１１の幅方向において立設部１２に隣接するようにボックス部１の前後方向に沿って形成されている。脚部１７の前端部（図４（ａ）及び（ｂ）において左側）における内側面はローラ収容部１８として機能し、このローラ収容部１８にボックスローラ１９が回転可能に軸支されている。
【００１８】
図４（ａ）及び（ｂ）に示すように、ボックス底板１１の中央には、四角形状に肉盗みされた穴部２２が形成されている。そして、図４（ａ）に示すように、ボックス底板１１の内側面には、穴部２２と脚部１７との間においてボックス部１の前後方向に延びる一対の転動面２３が設けられている。図５（ｂ）に示すように、転動面２３には、ボックス部１の前後方向に延びる平坦面２３ａが設けられている。そして、図５（ａ）に示すように、平坦面２３ａは、頂上部２３ｃを形成し、平坦面２３ａを側方から断面視すると、後方側から前方側に向けて、頂上部２３ｃまでは上り勾配が付けられているとともに、頂上部２３ｃから前方側においては緩やかな下り勾配が付けられている。また、図５（ｂ）に示すように、転動面２３の幅方向におけるボックス底板１１の中央側には、平坦面２３ａに対して上方向に傾斜する傾斜面２３ｂが形成されている。本実施形態では、平坦面２３ａと傾斜面２３ｂとが１５０度の角度をなすように傾斜面２３ｂの傾斜が設定されている。
【００１９】
ここで、傾斜面２３ｂの最頂部Ｔの高さ位置は、ボックス底板１１の前後方向において一定である。その一方で、平坦面２３ａは、頂上部２３ｃ側に向かうほど高い位置に存在する。したがって、頂上部２３ｃ側ほど平坦面２３ａの幅方向の長さが長くなるとともに、傾斜面２３ｂの幅方向の長さＺ１が短くなる。また、頂上部２３ｃ側ほど平坦面２３ａから最頂部Ｔまでの上下方向長さＨが小さくなる。なお、本実施形態では、頂上部２３ｃの高さ位置と傾斜面２３ｂの最頂部Ｔの高さ位置とが等しいため、平坦面２３ａの頂上部２３ｃにおいてその側方に傾斜面２３ｂが存在しない。
【００２０】
図６に示すように、ボックス側板３１は略四角板状に形成されるとともに、その下端面には側板ヒンジ部３２が突設されている。側板ヒンジ部３２は、ボックス底板１１の側板ヒンジ連結部１３と略同じ大きさに形成されているとともに、その先端に突起部３３が前後方向に突出するように設けられている。この突起部３３が側板ヒンジ連結部１３の溝部１３ａに挿入されることで、ボックス側板３１はボックス底板１１に対して溝部１３ａの延設方向（上下方向）に沿ってスライド移動可能に連結されている。また、ボックス側板３１は、いずれのスライド位置（上下位置）においてもボックス底板１１に対して回動可能になっている。
【００２１】
ボックス側板３１の下端面には、側板嵌合凸部３４が形成されている。この側板嵌合凸部３４は、側板ヒンジ部３２よりも短く形成されるとともに、立設部１２の側板嵌合凹部１４に嵌合できるようになっている。立設部１２の側板嵌合凹部１４と、ボックス側板３１の側板嵌合凸部３４とが嵌合することによって、ボックス側板３１は起き上がった状態でボックス底板１１に固定される。なお、図６において、立設部１２の側板ヒンジ連結部１３及び側板嵌合凹部１４とボックス側板３１との位置関係を明らかにするために、ボックス底板１１のみ断面図（図４（ａ）におけるＣ−Ｃ断面図）を示している。
【００２２】
また、図６に示すように、ボックス側板３１の後端面には、ボックス背板４１と嵌合するための背板嵌合凹部３５が前方向へ向けて凹み形成されている。この背板嵌合凹部３５には、その内域とボックス部１の内側域とを連通する係止穴３５ａが形成されている。そして、ボックス側板３１の前端面には口枠５５と嵌合するための口枠嵌合凸部３７が形成されているとともに、ボックス側板３１の上端面には、天板５０と嵌合するための天板嵌合凸部３６が形成されている。なお、図６において背板嵌合凹部３５を点線で図示している。
【００２３】
図２に示すように、ボックス背板４１はその幅方向の長さがボックス底板１１の幅方向の長さと等しく、上下方向の長さがボックス側板３１の上下方向の長さよりも長くなるように略四角板状に形成されている。そして、図８に示すように、その内側面の下端から前方向へ向けて突出するように略四角板状の支持ヒンジ部４２が形成されている。支持ヒンジ部４２の基端から先端までの突出長Ｘ１は、ボックス底板１１の立設部１２の立設長Ｘ２と等しくなるように形成されている。なお、立設部１２の立設長Ｘ２については、図５（ｂ）において図示しており、突出長Ｘ１と立設長Ｘ２との比較については図１０（ａ）において図示している。
【００２４】
支持ヒンジ部４２の側縁先端には回動軸としての突起部４３がボックス背板４１の幅方向に突出するように設けられている。図９に示すように、この突起部４３がボックス底板１１の収容部１５の溝部１５ａに挿入されることで、ボックス背板４１はボックス底板１１に対して溝部１５ａの延設方向（前後方向）に沿ってスライド移動可能に連結されている。
【００２５】
また、支持ヒンジ部４２は、ボックス底板１１の収容部１５の内部空間と略同じ形状に形成されており、さらに、支持ヒンジ部４２の厚みは収容部１５の深さ（側方のリブ１５ｃの高さ）と等しく形成されている。したがって、本実施形態では、ボックス背板４１を起き上がらせてボックス側板３１及び天板５０と嵌合させることにより、支持ヒンジ部４２の略全体を収容部１５の内部に収めることができるようになっている。そして、ボックス背板４１を起き上がらせた状態において支持ヒンジ部４２の上面４２ａが収容部１５の下面１５ｂ（ボックス底板１１の下面の一部）に接触するようになっている。ここで、本実施形態では、支持ヒンジ部４２の回動中心は側縁先端に形成された突起部４３であり、支持ヒンジ部４２はその上面４２ａにおいてボックス底板１１の収容部１５の下面１５ｂと接触している。したがって、ボックス背板４１を起き上がらせた状態では、支持ヒンジ部４２の回動中心（突起部４３）は、収容部１５の下面１５ｂと接触する支持ヒンジ部４２の上面４２ａよりも下方に位置している。
【００２６】
図８に示すように、ボックス背板４１の内側面の両側縁には前方に突出するように背板嵌合凸部４４が形成されている。そして、図１０（ａ）〜（ｃ）に示すように、背板嵌合凸部４４の外側（ボックス部１の幅方向外側）の面には、係止突起４４ａが形成されている。背板嵌合凸部４４は、ボックス背板４１を起き上がらせた状態でボックス側板３１の背板嵌合凹部３５に嵌合できるようになっているとともに背板嵌合凸部４４の係止突起４４ａが背板嵌合凹部３５の係止穴３５ａに嵌まり込んで係止される。そして、ボックス側板３１とボックス背板４１との嵌合時には、ボックス背板４１の内側面とボックス側板３１の後端面とが互いに接しつつ係止される。なお、本実施形態では、背板嵌合凸部４４と背板嵌合凹部３５とでボックス部１の凹凸嵌合手段を構成する。
【００２７】
さらに、図１０（ａ）に示すように、ボックス背板４１の背板嵌合凸部４４の高さ位置は、ボックス底板１１の後端から立設部１２の側板嵌合凹部１４までの長さに合わせて設定されている。すなわち、組み立て前状態におけるボックス背板４１がボックス背板４１の背板嵌合凸部４４が立設部１２の側板嵌合凹部１４内に収まって、ボックス背板４１の内側面と立設部１２の上端面とが接触するようになっている。なお、本実施形態では、背板嵌合凸部４４と側板嵌合凹部１４とでボックス部１の凹凸収容手段を構成する。
【００２８】
図１０（ｂ）及び（ｃ）に示すように、ボックス背板４１の内側面上縁には、前方向を指向して天板５０と嵌合するための天板嵌合凹部４５が形成されている。天板嵌合凹部４５は、ボックス背板４１の上縁に沿って前方向に突出形成された二つのリブによって囲われることで構成されており、それら二つのリブのうち、下側のリブ４５ａには係止穴４５ｂが形成され、該係止穴４５ｂによって、天板嵌合凹部４５の内外間は貫通している。
【００２９】
図２に示すように、上記のように構成されたボックス本体１０には天板５０が取り付けられている。天板５０には、幅方向の両側縁から下方を指向する側面部５１が備えられ、全体として断面コ字状をなすように形成されている。天板５０の側面部５１の下端面には、天板嵌合凹部（図示略）が所定間隔をおいて複数形成されており、ボックス側板３１の天板嵌合凸部３６と嵌合するようになっている。また、天板５０の後端面には天板嵌合凸部５２が形成されており、ボックス背板４１の天板嵌合凹部４５と嵌合するようになっている。また、図１１に示すように、天板嵌合凸部５２の下側面には係止突起５２ａが下方に向けて突出形成されており、天板嵌合凹部４５の係止穴４５ｂに嵌まり込むようになっている。これらの嵌合構成によって、天板５０がボックス本体１０に固定されるとともに、ボックス側板３１及びボックス背板４１の回動が防止される。さらに、図１１に示すように、天板５０の前端面には、口枠嵌合凸部５３が形成されている。また、口枠嵌合凸部５３の下側面には係止突起５３ａが下方に向けて突出形成されている。なお、天板５０は、前後対称に形成されているため、天板嵌合凸部５２と口枠嵌合凸部５３とは同じ形状に形成されている。
【００３０】
図２に示すように、ボックス底板１１及びボックス側板３１及び天板５０の前端部には、四角枠状に形成された口枠５５が取り付けられている。図１１に示すように、口枠５５は、断面Ｕ字状（図１１においては横向きのＵ字状）に形成されており、このＵ字状部分が口枠嵌合凹部５６となっている。すなわち、口枠嵌合凹部５６は、四角枠状に形成された嵌合凹部である。また、図１１に示すように、口枠嵌合凹部５６のうちのボックス底板１１に対向する下辺部分において、下側の壁（横向きＵ字状の下側の壁）には、下辺係止穴５６ａが形成されており、該下辺係止穴５６ａによって、口枠嵌合凹部５６の内外間は貫通している。一方、口枠嵌合凹部５６のうちの天板５０に対向する上辺部分において下側の壁（横向きＵ字状の下側の壁）には、上辺係止穴５６ｂが形成されており、該上辺係止穴５６ｂによって、口枠嵌合凹部５６の内外間は貫通している。
【００３１】
そして、図２に示すように、ボックス底板１１の口枠嵌合凸部１６、ボックス側板３１の口枠嵌合凸部３７及び天板５０の口枠嵌合凸部５３が口枠嵌合凹部５６と嵌合することで、口枠５５が取り付けられるようになっている。図１１に示すように、ボックス本体１０に口枠５５を取り付けた状態では、ボックス底板１１の口枠嵌合凸部１６の係止突起１６ａが口枠５５の口枠嵌合凹部５６の下辺係止穴５６ａに嵌まり込むとともに、天板５０の口枠嵌合凸部５３の係止突起５３ａが口枠５５の口枠嵌合凹部５６の上辺係止穴５６ｂに嵌まり込んで係止される。
【００３２】
なお、本実施形態では、図１１に示すように、ボックス底板１１の口枠嵌合凸部１６の下面（外側面）は、ボックス底板１１の下面の一部であり、口枠嵌合凹部５６が口枠嵌合凸部１６を下側から覆うようにして嵌合している。したがって、ボックス本体１０に口枠５５が嵌合した状態において、口枠５５はボックス底板１１の下面を支持しているといえる。
【００３３】
（引出部６の構成）
次に、引出部６について説明する。図２に示すように、引出部６は、引出本体６０に前面パネル９０が取り付けられることで組み立てられた状態をなしている。引出本体６０は、長四角板状に形成された引出底板６１の両側縁にそれぞれ引出側板７１が回動可能に連結されるとともに、引出底板６１の後縁に引出背板８１が回動可能に連結されている。
【００３４】
図１３（ａ）に示すように、引出底板６１の側縁には、引出側板７１と連結、嵌合するための立設部６２が立設されている。立設部６２は、断面逆Ｕ字状に形成されて内部が中空になっている。また、図２１に示すように、立設部６２はその外側の壁６２ａが長く形成されて下側に突出するようになっている。そして、図１４に示すように、立設部６２には、上端面から下方向に四角形状に切欠き凹設された側板ヒンジ連結部６３が形成されている。図１６（ａ）〜（ｃ）に示すように、この側板ヒンジ連結部６３の前端面及び後端面には、溝部６３ａが上下方向に延設されている。なお、図１６（ａ）〜（ｃ）は、図１３（ａ）におけるＥ−Ｅ線断面図であり、側板ヒンジ連結部１３の後端面が図示されている。また、図１３（ａ）に示すように、立設部６２の上端面には側板嵌合凹部６４が形成されている。
【００３５】
一方、図１３（ｂ）及び図１８に示すように、引出底板６１の下面（外側面）後縁には、引出背板８１と連結するための収容部６５が設けられている。収容部６５は、引出底板６１の下面に形成されたリブによって前方及び両側方が囲まれることによって形成されている。そして、収容部６５の側面、すなわち側方のリブ６５ｃには、溝部６５ａが前後方向に延設されている。さらに、図１３（ｂ）に示すように、引出底板６１の下面において前縁に沿うとともに下方に向かって突出するようにパネル嵌合リブ６６が形成されている。そして、パネル嵌合リブ６６の後側面（図１３（ｂ）において右側面）には、引出底板６１の後側に向かって突出する係止突起６６ａが形成されている。なお、図１８では、引出底板６１を下側から見た状態を図示している。
【００３６】
図１３（ｂ）及び図２１に示すように、引出底板６１の下面において、側縁の後方側（図１３（ｂ）において右側）には、引出底板６１の前後方向に延びる二つのリブ６７ａが設けられている。そして、これら二つのリブ６７ａの間の空間がローラ収容部６７として機能し、このローラ収容部６７に引出ローラ６８が回転可能に軸支されている。
【００３７】
図１５に示すように、引出側板７１は略四角板状に形成されるとともに、その下端面には側板ヒンジ部７２が突設されている。側板ヒンジ部７２は、引出底板６１の側板ヒンジ連結部６３と略同じ大きさに形成されているとともに、その先端に突起部４３が前後方向に突出するように設けられている。この突起部８３が側板ヒンジ連結部６３の溝部６３ａに挿入されることで、引出側板７１は溝部６３ａの延設方向（上下方向）に沿ってスライド移動可能に連結されている。また、引出側板７１は、いずれのスライド位置（上下位置）においても引出底板６１に対して回動可能になっている。
【００３８】
引出側板７１の下端面には、側板嵌合凸部７４が形成されている。この側板嵌合凸部７４は、側板ヒンジ部７２よりも短く形成されるとともに、立設部６２の側板嵌合凹部６４に嵌合できるようになっている。立設部６２の側板嵌合凹部６４と、引出側板７１の側板嵌合凸部７４とが嵌合することによって、引出側板７１は起き上がった状態で引出底板６１に固定される。
【００３９】
さらに、引出側板７１の後端面には引出背板８１と嵌合するための背板嵌合凹部７５が前方向へ向けて凹み形成されている。この背板嵌合凹部７５には、その内域と引出部６の内側域とを連通する係止穴７５ａが形成されている。また、引出側板７１の前端面には前面パネル９０と嵌合するためのパネル嵌合凸部７６が形成されているとともに、図１５に示すように、パネル嵌合凸部７６の下面（外側面）には引出部６の幅方向内側に向かって突出するように係止突起７６ａが形成されている。なお、図１５において、立設部６２の側板ヒンジ連結部６３及び側板嵌合凹部６４と引出側板７１との位置関係を明らかにするために、引出底板６１のみ断面図（図１３（ａ）におけるＣ−Ｃ断面図）を示している。また、図１５において背板嵌合凹部７５を点線で図示している。さらに、図１５において破断線を基準として、引出側板７１の前側部分は内側面を図示し、引出側板７１の後側部分は外側面を図示している。
【００４０】
図２及び図１７に示すように、引出背板８１はその幅方向の長さが引出底板６１の幅方向の長さと等しく、かつ高さ方向の長さも引出側板７１の高さ方向の長さと等しくなるように略四角板状に形成されている。そして、図１７に示すように、その内側面の下端から前方向へ向けて突出するように略四角板状の支持ヒンジ部８２が形成されている。支持ヒンジ部８２の基端から先端までの突出長Ｙ１は、引出底板６１の立設部６２の立設長Ｙ２と等しくなるように形成されている。なお、立設部６２の立設長Ｙ２については、図２１において図示しており、突出長Ｙ１と立設長Ｙ２との比較については図１９（ａ）において図示している。
【００４１】
支持ヒンジ部８２の側縁先端には回動軸としての突起部８３が引出背板８１の幅方向に突出するように設けられている。図１８に示すように、この突起部８３が引出底板６１の収容部６５の溝部６５ａに挿入されることで、引出背板８１が溝部６５ａの延設方向に沿ってスライド移動可能に連結されている。
【００４２】
また、支持ヒンジ部８２は、引出底板６１の収容部６５の内部空間と略同じ形状に形成されており、さらに、支持ヒンジ部８２の厚みは収容部６５の深さ（側方のリブ６５ｃの高さ）と等しく形成されている。したがって、本実施形態では、引出背板８１を起き上がらせた状態において引出側板７１と嵌合させることにより支持ヒンジ部８２の略全体を収容部６５の内部に収めることができるようになっている。そして、引出背板８１を起き上がらせた状態において支持ヒンジ部８２の上面８２ａが収容部６５の下面６５ｂ（引出底板６１の下面の一部）に接触するようになっている。ここで、本実施形態では、支持ヒンジ部８２の回動中心は側縁先端に形成された突起部８３であり、支持ヒンジ部８２はその上面８２ａにおいて引出底板６１の収容部６５の下面６５ｂと接触している。したがって、引出背板８１を起き上がらせた状態では、支持ヒンジ部８２の回動中心（突起部８３）は、収容部６５の下面６５ｂと接触する支持ヒンジ部８２の上面８２ａよりも下方に位置している。
【００４３】
図１７に示すように、引出背板８１の内側面の両側縁には前方向に突出するように背板嵌合凸部８４が形成されている。そして、背板嵌合凸部８４の外側（引出部６の幅方向外側）の面には、係止突起８４ａが形成されている。背板嵌合凸部８４は、引出背板８１を起き上がらせた状態では、引出側板７１の背板嵌合凹部７５に嵌合できるようになっているとともに背板嵌合凸部８４の係止突起８４ａが背板嵌合凹部７５の係止穴７５ａに嵌まり込んで係止される。そして、引出側板７１と引出背板８１との嵌合時には、引出背板８１の内側面と引出側板７１の後端面とが係止される。なお、本実施形態では、背板嵌合凸部８４と背板嵌合凹部７５とで引出部６の凹凸嵌合手段を構成する。
【００４４】
さらに、図１９（ａ）に示すように、引出背板８１の背板嵌合凸部８４の高さ位置は、引出底板６１の後端から立設部６２の側板嵌合凹部６４までの長さに合わせて設定されている。すなわち、組み立て前状態における引出背板８１が引出背板８１の背板嵌合凸部８４が立設部６２の側板嵌合凹部６４に収まって、引出背板８１の内側面と立設部６２の上端面とが接触するようになっている。なお、本実施形態では、背板嵌合凸部８４と側板嵌合凹部６４とで引出部６の凹凸収容手段を構成する。
【００４５】
図２に示すように、上記のように構成された引出本体６０には前面パネル９０が取り付けられている。前面パネル９０は、その高さ方向の長さがボックス底板１１の穴部２２の幅方向の長さよりも小さく、その幅方向の長さが穴部２２の前後方向の長さよりも小さく設定されている。さらに、本実施形態では、図１に示すように、前面パネル９０の高さ及び幅は、口枠５５の高さ及び幅と等しく形成されている。一方、前面パネル９０の外側面には、幅方向に延びる指掛部９１が形成されている。図２０に示すように、指掛部９１は下面側に開口を有しており、使用者が手指を差し入れて引出部６を前側へ引き出すことができるようになっている。
【００４６】
また、図２０に示すように、前面パネル９０には、引出底板６１のパネル嵌合リブ６６及び引出側板７１のパネル嵌合凸部７６と嵌合するための嵌合リブ９２が形成されている。嵌合リブ９２は、前面パネル９０の内側面から後方に向かって突出する板状に形成されるとともに、前面パネル９０の側縁及び底縁に沿うように形成されている。すなわち、嵌合リブ９２は、全体として、引出底板６１及び引出側板７１の前端面の形状に合わせてコ字状に延設されている。そして、嵌合リブ９２の底縁に沿う部分９３の上側面には、引出底板６１のパネル嵌合リブ６６の係止突起６６ａに対して係止することのできる係止爪９３ａが上方に向かって突出形成されている。また、嵌合リブ９２の側縁に沿う部分９４の幅方向中央側の面には、引出側板７１のパネル嵌合凸部７６の係止突起７６ａに対して係止することのできる係止爪９４ａが幅方向中央側に向かって突出形成されている。これらの係止関係によって、前面パネル９０の嵌合リブ９２に引出底板６１のパネル嵌合リブ６６及び引出側板７１のパネル嵌合凸部７６が嵌合される。なお、本実施形態では、図２０に示すように、引出底板６１のパネル嵌合凸部の下面（外側面）は引出底板６１の下面（外側面）の一部である。そして、引出底板６１のパネル嵌合リブ６６に対して、嵌合リブ９２の底縁に沿う部分９３が下側から係止されている。したがって、引出本体６０に前面パネル９０が嵌合した状態において、前面パネル９０は引出底板６１の下面を支持しているといえる。
【００４７】
（組み立て前状態の収納ボックス）
次に、組み立て前状態の収納ボックスについて説明する。組み立て前状態のボックス本体１０のボックス底板１１の穴部２２には、引出部６の前面パネル９０が収容されている。ボックス本体１０の上には、組み立て前状態の引出本体６０が上下反転した状態（引出底板６１が上になった状態）で積み重ねられている。そして、引出本体６０の上には、ボックス部１の口枠５５が積み重ねられている。さらに、引出本体６０の上には、引出本体６０及び口枠５５を覆い隠すようにしてボックス部１の天板５０が積み重ねられている。天板５０を積み重ねることによって、口枠５５が隠されて視認できなくなるとともに、天板５０の側面部５１によって組み立て前状態の引出部６の側面が視認し難くなっている。
【００４８】
図３（ａ）及び図７（ａ）に示すように、組み立て前状態のボックス本体１０において、二つのボックス側板３１は、ボックス底板１１の立設部１２の対向する内側面の間に配置されるとともに、二つのボックス側板３１が重なり合って配置されている。ここで、本実施形態では、ボックス側板３１は、いずれのスライド位置（上下位置）においても回動可能である。そのため、図７（ａ）に示すように、一方のボックス側板３１（図７（ａ）において左側）は、より下側の位置に配置されるとともに、他方のボックス側板３１（図７（ａ）において右側）は、より上側の位置に配置されている。そして、組み立て前状態の二つのボックス側板３１は、互いに平行関係を維持するようになっている。なお、この組み立て前状態のボックス側板３１の側板ヒンジ部３２の突起部３３（回動中心）の高さ位置を比較すると、一方のボックス側板３１の突起部３３よりも、他方のボックス側板３１の突起部３３の方が高い位置に配置されている。
【００４９】
図１０（ａ）に示すように、組み立て前状態のボックス本体１０において、ボックス背板４１は、その内側面がボックス底板１１の立設部１２の上端面に接するようになっている。ここで、ボックス背板４１の背板嵌合凸部４４の高さ位置は、ボックス底板１１の後端から立設部１２の側板嵌合凹部１４までの長さに合わせて設定されている。そして、さらに、ボックス背板４１の支持ヒンジ部４２の突出長Ｘ１が立設部１２の立設長Ｘ２と等しくなっている。したがって、組み立て前状態では、図１０（ａ）に示すように、ボックス背板４１の背板嵌合凸部４４が立設部１２の側板嵌合凹部１４に収容されつつ、ボックス背板４１の内側面と立設部１２の上端面とが接触するようになっている。また、図３（ａ）に示すように、組み立て前状態のボックス部１は、略後半分がボックス背板４１によって覆われて、とくに、支持ヒンジ部４２の構成によって後方側からその内部が視認し難くなっている。なお、図１０（ａ）において、立設部１２の側板嵌合凹部１４とボックス背板４１の背板嵌合凸部４４との位置関係を明らかにするために、ボックス底板１１の断面図（図４（ａ）におけるＣ−Ｃ断面図）を示している。
【００５０】
一方、本実施形態の引出部６の引出本体６０も、図３（ｂ）及び図１６（ａ）に示すように、組み立て前状態の引出本体６０において、二つの引出側板７１は、引出底板６１の立設部６２の対向する内側面の間に配置されるとともに、二つの引出側板７１が重なり合って配置されている。ここで、本実施形態では、引出側板７１は、いずれのスライド位置（上下位置）においても回動可能である。そのため、図１６（ａ）に示すように、一方の引出側板７１（図１６（ａ）において左側）は、より下側の位置に配置されるとともに、他方の引出側板７１（図１６（ａ）において右側）は、より上側の位置に配置されている。そして、組み立て前状態の二つの引出側板７１は、互いに平行関係を維持するようになっている。なお、この組み立て前状態の引出側板７１の側板ヒンジ部７２の突起部７３（回動中心）の高さ位置を比較すると、一方の引出側板７１の突起部７３よりも、他方の引出側板７１の突起部７３の方が高い位置に配置されている。
【００５１】
図１９（ａ）に示すように、組み立て前状態の引出本体６０において、引出背板８１は、その内側面が引出底板６１の立設部６２の上端面に接するようになっている。ここで、引出背板８１の背板嵌合凸部８４の高さ位置は、引出底板６１の後端から立設部６２の側板嵌合凹部６４までの長さに合わせて設定されている。そして、さらに、引出背板８１の支持ヒンジ部８２の突出長Ｙ１が立設部６２の立設長Ｙ２と等しくなっている。したがって、組み立て前状態では、図１９（ａ）に示すように、引出背板８１の背板嵌合凸部８４が立設部６２の側板嵌合凹部６４に収容されつつ、引出背板８１の内側面と立設部６２の上端面とが接触するようになっている。また、図３（ｂ）に示すように、組み立て前状態の引出部６は、略後半分が引出背板８１によって覆われて、とくに、支持ヒンジ部８２の構成によって後方側からその内部が視認し難くなっている。なお、図１９（ａ）において、立設部６２の側板嵌合凹部６４と引出背板８１の背板嵌合凸部８４との位置関係を明らかにするために、引出底板６１の断面図（図１３（ａ）におけるＣ−Ｃ断面図）を示している。
【００５２】
（ボックス部１及び引出部６の組み立て方法）
次に、ボックス部１及び引出部６の組み立て方法について説明する。
ボックス部１を組み立てるにあたっては、先ず、図１０（ｂ）に示すとおり、組み立て前状態のボックス背板４１（図１０（ａ）参照）を９０度後側へ回動させて起き上がらせる。なお、この状態では、支持ヒンジ部４２の突起部４３は、収容部１５の溝部１５ａの後端部分に位置していて、収容部６５の下面６５ｂと支持ヒンジ部８２の上面８２ａとの接触領域は最小になっている。
【００５３】
次いで、図７（ｂ）に示すとおり、組み立て前状態のボックス側板３１（図７（ａ）参照）を９０度外側へ回動させて起き上がらせる。このとき、ボックス側板３１の側板嵌合凸部３４がボックス底板１１の立設部１２にぶつからないように、側板ヒンジ部３２の突起部３３（回動中心）を立設部１２の側板ヒンジ連結部１３の溝部１３ａにおける上側部分に引き上げる必要がある。そして、図７（ｃ）に示すように、起き上がった状態のボックス側板３１を下方側にスライド移動させ、ボックス側板３１の側板嵌合凸部３４を立設部１２の側板嵌合凹部１４に嵌合させることで、ボックス側板３１を起き上がった状態に固定する。こうしたボックス側板３１の回動、下方へのスライド移動、嵌合固定は、左右一対のボックス側板３１とも行う。そして、起き上がった状態の左右一対のボックス側板３１の天板嵌合凸部３６に天板５０の天板嵌合凹部（図示略）を嵌合させることで、ボックス側板３１に天板５０を取り付ける。
【００５４】
ボックス側板３１に天板５０を取り付けた後、図１０（ｃ）に示すように、ボックス背板４１を前側にスライド移動させる。ボックス背板４１を前側にスライド移動させることで、ボックス背板４１の背板嵌合凸部４４をボックス側板３１の背板嵌合凹部３５に嵌合させ、ボックス背板４１とボックス側板３１とを互いに固定する。また、ボックス背板４１の天板嵌合凹部４５を天板５０の天板嵌合凸部５２に嵌合させることでボックス背板４１と天板５０とを互いに固定する。このとき、収容部６５の下面６５ｂと支持ヒンジ部８２の上面８２ａとの接触領域は最大になっている。
【００５５】
その後、ボックス本体１０及び天板５０の前端面に口枠５５を取り付ける。口枠５５を取り付ける際には、口枠５５の口枠嵌合凹部５６を、ボックス底板１１の口枠嵌合凸部１６、ボックス側板３１の口枠嵌合凸部３７及び天板５０の口枠嵌合凸部５３それぞれと嵌合させることで、口枠５５をボックス本体１０及び天板５０に固定する。このようにしてボックス部１は、前面に開口を有する四角箱状に組み立てられる。
【００５６】
一方、引出部６を組み立てるにあたっては、先ず、図１９（ｂ）に示すとおり、組み立て前状態の引出背板８１（図１９（ａ）参照）を９０度後側へ回動させて起き上がらせる。なお、この状態では、支持ヒンジ部８２の突起部８３は、収容部６５の溝部６５ａの後端部分に位置している。
【００５７】
次いで、図１６（ｂ）に示すとおり、組み立て前状態の引出側板７１（図１６（ａ）参照）を９０度外側へ回動させて起き上がらせる。このとき、引出側板７１の側板嵌合凸部７４が引出底板６１の立設部６２にぶつからないように、側板ヒンジ部７２の突起部７３（回動中心）を立設部６２の側板ヒンジ連結部６３の溝部６３ａにおける上側部分に引き上げる必要がある。そして、図１６（ｃ）に示すように、起き上がった状態の引出側板７１を下方側にスライド移動させ、引出側板７１の側板嵌合凸部７４を立設部６２の側板嵌合凹部６４に嵌合させることで、引出側板７１を起き上がった状態に固定する。
【００５８】
引出側板７１を固定した後、図１９（ｃ）に示すように、引出背板８１を前側にスライド移動させる。引出背板８１を前側にスライド移動させることで、引出背板８１の背板嵌合凸部８４を引出側板７１の背板嵌合凹部７５に嵌合させ、引出背板８１と引出側板７１とを互いに固定する。
【００５９】
その後、引出本体６０の前端面に前面パネル９０を取り付ける。前面パネル９０を取り付ける際には、図２０に示すように、前面パネル９０の嵌合リブ９２の係止爪９３ａと引出底板６１のパネル嵌合リブ６６の係止突起６６ａとが係合させるとともに、前面パネル９０の嵌合リブ９２の係止爪９４ａが引出側板７１のパネル嵌合凸部７６の係止突起７６ａと係合させる。このようにして引出部６は、上面に開口を有する四角箱状に組み立てられる。
【００６０】
（収納ボックスの使用態様）
以下では、上記のようにして組み立てられた収納ボックスの使用態様について記載する。図１２に示すように、引出底板６１の立設部６２の外側の壁６２ａは引出底板６１の下面（外側面）よりも下方へ突出するように形成されているため、立設部６２の外側の壁６２ａの下端面が脚部１７内に挿入されてボックスローラ１９に接触できる。このとき、ボックスローラ１９は、その表面が中央ほど凹むように形成されているため、立設部６２の外側の壁６２ａの下端面はその凹みに案内される。したがって、引出部６をボックス部１に対して出し入れする際には、ボックスローラ１９が回転しつつ引出部６を支持するため、引出部６のボックス部１に対する引き出し及び押し入れの円滑性を支援する。また、立設部６２の外側の壁６２ａの下端面とボックスローラ１９との接触関係によって、引出部６の横ずれを好適に抑制する。なお、図１２においては、引出底板６１の立設部６２を点線で図示している。
【００６１】
一方、図５（ｂ）に示すように、ボックス底板１１の転動面２３は、とくに、平坦面２３ａ上において、引出底板６１の引出ローラ６８が転動することを可能にする。引出部６をボックス部１に対して出し入れする際には、引出ローラ６８が転動面２３上を回転して走行するため、引出部６のボックス部１に対する引き出し及び押し入れの円滑性を支援する。ここで、引出部６をボックス部１に完全に押し入れた状態では、引出ローラ６８が平坦面２３ａの後方部分に位置するようになっている。上述したように、平坦面２３ａの後方側は、前方側に向かうほど頂上部２３ｃに向けて上り傾斜となっているため、引出部６が完全に押し入れられた状態から誤って引き出され難いようになっている。また、平坦面２３ａは、頂上部２３ｃから前方側へ向けて緩やかに下り傾斜となっているため、この下り傾斜の部分では引出部６の引出ローラ６８は速やかに転動面２３を転動する。なお、図５（ｂ）では、引出本体６０の引出ローラ６８を点線で図示している。
【００６２】
また、図５（ｂ）に示すように、転動面２３には、傾斜面２３ｂが形成されているので、引出部６を引き出したり、押し入れたりする際に引出部６が幅方向の力を受けて引出ローラ６８が左右方向にずれたとしても、引出部６の自重によって傾斜面２３ｂを下って平坦面２３ａに戻される。ここで、図５（ｂ）に示すように、傾斜面２３ｂは、その幅方向の長さＺ１の最大値がボックス部１のボックス側板３１内側面と引出部６の引出側板７１の外側面との間隙距離Ｚ２よりも長く形成されている。したがって、引出部６の引出ローラ６８が傾斜面２３ｂを乗り越えてボックス底板１１の幅方向中央側へ逸脱することが抑制される。なお、本実施形態では、図５（ｂ）に示すように、引出部６が横ずれしていない状態で引出ローラ６８が平坦面２３ａの最も幅方向内側を転動するように傾斜面２３ｂの位置が設定されている。そのため、引出ローラ６８の幅方向内側の端面から傾斜面２３ｂの最頂部Ｔまでの幅寸法は、傾斜面２３ｂの幅方向長さＺ１と略等しい。なお、製造時には転動面２３に対する引出ローラ６８の配置にばらつきが生じることがある。そのため、引出ローラ６８と傾斜面２３ｂとの配置関係は必ずしも一定にならず、それらの間に寸法誤差が生じることがある。ここでいう「略等しい」とは、そうした寸法誤差が生じた状態も含むことを意味する。
【００６３】
さらに、平坦面２３ａに対する傾斜面２３ｂのうち最も上方に存在する最頂部Ｔにおける平坦面２３ａからの上下方向長さＨの最大値は、引出部６の引出ローラ６８の半径Ｒよりも小さく設定されている。したがって、引出部６のローラ収容部６７を構成するリブ６７ａや引出ローラ６８が傾斜面２３ｂに接触し難くなっている。なお、本実施形態でいう最頂部Ｔにおける平坦面２３ａからの上下方向長さＨの最大値とは、平坦面２３ａが最も低い位置にあるときの上下方向長さＨであり、平坦面２３ａの最も前面側（図５（ａ）において左側）に位置している。また、傾斜面２３ｂの幅方向の長さＺ１とは、傾斜面２３ｂの最頂部Ｔが前後方向に水平に形成されている場合、平坦面２３ａが最も低い位置にあるときの傾斜面２３ｂの幅方向の長さＺ１であり、平坦面２３ａの最も前面側（図５（ａ）において左側）に位置している。そして、間隙距離Ｚ２とは、引出部６をボックス部１に完全に押し入れた状態における間隙距離で、ボックス部１及び引出部６の幅方向における各間隙は均等であることを前提とする。
【００６４】
上記の実施形態によれば、以下のような作用効果を得ることができる。
（１）上記実施形態では、ボックス背板４１に支持ヒンジ部４２が設けられ、ボックス部１を組み立てた状態では、この支持ヒンジ部４２の上面４２ａは、ボックス底板１１の下面（外側面）と接触している。そのため、ボックス底板１１を下面から抱え込むようにして支持することができ、支持ヒンジ部４２とボックス底板１１との連結部分である支持ヒンジ部４２の突起部４３に集中しがちな荷重を分散することができる。したがって、支持ヒンジ部４２の突起部４３に過剰に大きな力が作用することを抑制し、支持ヒンジ部４２が変形したり、破損したりすることを抑制することができる。
【００６５】
（２）上記実施形態では、支持ヒンジ部４２の回動中心は側縁先端に形成された突起部４３であり、支持ヒンジ部４２はその上面４２ａにおいてボックス底板１１の収容部１５の下面１５ｂと接触している。したがって、ボックス背板４１を起き上がらせた状態では、支持ヒンジ部４２の回動中心である突起部４３は、収容部１５の下面１５ｂと接触する支持ヒンジ部４２の上面４２ａよりも下方に位置している。そのため、ボックス部１の荷重は、先ず支持ヒンジ部４２の上面４２ａに受け止められることになり、支持ヒンジ部４２の突起部４３に直接的に過剰な力が作用することをより効果的に抑制することができる。
【００６６】
（３）上記実施形態では、ボックス底板１１の下面（外側面）にボックス背板４１の支持ヒンジ部４２を収容することのできる収容部１５を形成している。そのため、支持ヒンジ部４２を設けたことによって、組み立てられた状態のボックス本体１０の厚みが増すことが抑制される。また、支持ヒンジ部４２は、収容部１５の収容部１５の側面（側方のリブ１５ｃ）に案内されつつスライド移動可能であるため、ボックス背板４１の組み立て作業を行いやすい。
【００６７】
（４）上記実施形態では、ボックス背板４１の支持ヒンジ部４２の基端から先端までの突出長Ｘ１は、ボックス底板１１の立設部１２の立設長Ｘ２と等しい。そのため、組み立て前状態のボックス本体１０において、その内部が視認し難い形態をなすとともに、ボックス背板４１によって組み立て前状態におけるボックス側板３１の一部分を覆い隠すことができる。したがって、組み立て前状態のボックス本体１０がすっきりとした外観となり、見栄えが良い。
【００６８】
（５）仮に、ボックス側板３１が上下にスライド移動不可であると、組み立て前状態において、一方のボックス側板３１の上端がボックス底板１１に当接する片当たりの状態となり、さらに、他方のボックス側板３１の上端が一方のボックス側板３１に当接する片当たりの状態となる。このようなボックス側板３１の傾斜配置では、組み立て前状態のボックス部１の見栄えが悪く、また、ボックス側板３１の自重や外部からの荷重によってボックス側板３１が撓むなどして変形するという問題がある。本実施形態において、ボックス側板３１はボックス底板１１に対して溝部１３ａの延設方向（上下方向）に沿ってスライド移動可能に連結されている。そのため、組み立て前状態において二つのボックス側板３１が互いに平行配置関係を維持するようになっているため、ボックス側板３１が変形する恐れが軽減される。
【００６９】
（６）上記実施形態では、ボックス背板４１の背板嵌合凸部４４とボックス底板１１の側板嵌合凹部１４とでボックス部１の凹凸収容手段を構成し、組み立て前状態のボックス本体１０では、この凹凸収容手段を介しつつボックス背板４１の内側面と立設部１２の上端面とが接触する。そのため、組み立て前状態におけるボックス背板４１の背板嵌合凸部４４の突出長が側板嵌合凹部１４によって吸収されて、組み立て前状態におけるボックス本体１０をより薄くすることが可能になる。
【００７０】
なお、上記の（１）〜（６）では、ボックス部１（ボックス本体１０）の効果として説明したが、引出部６（引出本体６０）においても同等に構成されており、同じ作用効果を奏する。
【００７１】
（７）上記実施形態では、口枠５５の口枠嵌合凹部５６によってボックス底板１１の口枠嵌合凸部１６の下面が支持されている。そのため、ボックス底板１１とボックス背板４１の連結部分である支持ヒンジ部４２の突起部４３に作用する荷重をより効果的に分散させることができる。また、引出底板６１のパネル嵌合リブ６６の係止突起６６ａに対して、嵌合リブ９２の底縁に沿う部分９３の上側の面に形成された係止爪９３ａが下側から係止されている。そのため、引出底板６１と引出背板８１との連結部分である支持ヒンジ部８２の突起部８３に作用する荷重をより効果的に分散させることができる。
【００７２】
（８）上記実施形態では、ボックス側板３１には支持ヒンジ部が形成されていないが、ボックス側板３１はボックス背板４１と嵌合しているとともに口枠５５と嵌合している。そのため、たとえば、ボックス側板３１を掴んで持ち上げたとしても、各嵌合構成によってボックス部１の荷重がボックス背板４１及び口枠５５に伝わり、結果として、ボックス背板４１の支持ヒンジ部４２の上面４２ａや口枠５５の口枠嵌合凹部５６に分散されることになる。
【００７３】
（９）たとえば、ボックス部１及び引出部６を一体成形で製造しようとした場合、収納ボックスを製造するにあたっては相応に大きな金型等が必要となり、製造コストの上昇が避けられない。上記実施形態においては、ボックス部１及び引出部６を構成する各部材がそれぞれ独立して形成されているため、製造するにあたって比較的に小さな金型等を用いることができ、製造コストを低下させ得る。
【００７４】
（１０）上記実施形態では、転動面２３に傾斜面２３ｂを形成している。したがって、引出部６を引き出すときに幅方向に横ずれしにくく、また、横ずれして引出部６の引出ローラ６８が傾斜面２３ｂに乗り上げたとしても、引出部６の自重により傾斜面２３ｂを下って、平坦面２３ａに戻ることができる。
【００７５】
（１１）引出部６をボックス部１から引き出す際に、引出部６が横ずれしたとしても、通常、その横ずれの幅は、ボックス部１のボックス側板３１内側面と引出部６の引出側板７１の外側面との間隙距離Ｚ２よりも短い。上記実施形態では、傾斜面２３ｂの幅方向の長さＺ１が前記間隙距離Ｚ２よりも長く形成されているので、引出部６が傾斜面２３ｂを乗り越えて転動面２３から逸脱してしまうことが抑制される。
【００７６】
（１２）傾斜面２３ｂは、ボックス底板１１の補強リブとしても機能する。たとえば、傾斜面２３ｂが存在しない場合、ボックス底板１１に荷重がかかるとその幅方向及び前後方向に撓みが生じる場合がある。また、平坦面２３ａに対して９０度の角度を有する補強リブをボックス部１の前後方向に沿って設けた場合、前後方向の撓みを抑制することはできても幅方向の撓みを抑制することは期待できない。本実施形態では、平坦面２３ａに対して傾斜面２３ｂが１５０度の角度を有しているので、前後方向及び幅方向の両方の撓みに対する抑制効果が期待できる。
【００７７】
（１３）上記実施形態では、さらに、平坦面２３ａに対する傾斜面２３ｂのうち最も上方に存在する最頂部Ｔにおける平坦面２３ａからの上下方向長さＨは、引出部６の引出ローラ６８の半径Ｒよりも小さく設定されている。そのため、引出ローラ６８が傾斜面２３ｂに乗り上げたとしても引出ローラ６８や引出ローラ６８を軸支するリブ６７ａが傾斜面２３ｂに接触し難く、引出ローラ６８の円滑な回転が確保される。
【００７８】
（１４）上記実施形態では、ボックス底板１１の穴部２２が引出部６の前面パネル９０よりも大きく形成されている。そのため、前面パネル９０を穴部２２に収容して、組み立て前状態の収納ボックスの薄さを確保することができる。
【００７９】
（１５）上記実施形態では、ボックス底板１１の脚部１７の内側にボックスローラ１９を設けている。そのため、ボックスローラ１９を設けたことによって、ボックス底板１１の厚みが大きくなることが最小限に抑えられる。また、組み立て前状態のボックス本体１０において、ボックスローラ１９が邪魔になることが最小限に抑えられる。
【００８０】
なお、上記の実施形態は以下のように変更してもよく、また、以下の各変更例を互いに組み合わせて実施することも可能である。
・  上記実施形態では、転動面２３の平坦面２３ａが頂上部２３ｃを形成するようにしたが、これを変更してもよい。たとえば、平坦面２３ａの後方側において谷部を形成し、引出部６をボックス部１に完全に押し入れた状態で、引出ローラ６８が谷部に収まるようにしてもよい。
【００８１】
・  最頂部２３ｃの形成位置は、上記実施形態のものに限らない。たとえば、平坦面２３ａの最も前方側に最頂部２３ｃを形成して、平坦面２３ａを前方側に向かう上り勾配としてもよい。この場合、傾斜面２３ｂの最頂部Ｔの高さ位置が前後方向において一定であれば、平坦面２３ａから傾斜面２３ｂの最頂部Ｔまでの上下方向長さＨ及び傾斜面２３ｂの幅方向の長さＺ１は前方側に向かうほど小さくなる。
【００８２】
・  平坦面２３ａに頂上部２３ｃを形成せずに、側面から断面視した際に平坦面２３ａが水平に直線状になるようにしてもよい。この場合、傾斜面２３ｂの最頂部Ｔの高さ位置が前後方向において一定であれば、平坦面２３ａから傾斜面２３ｂの最頂部Ｔまでの上下方向長さＨ及び傾斜面２３ｂの幅方向の長さＺ１は一定である。
【００８３】
・  上記実施形態では、平坦面２３ａの幅方向中央側に傾斜面２３ｂを形成したが、これを変更して幅方向外側に形成してもよい。また、平坦面２３ａの幅方向中央側及び幅方向外側の両方に傾斜面２３ｂを形成してもよい。
【００８４】
・  引出ローラ６８の配設位置は、上記実施形態のように引出底板６１の外側面（下面）に限らない。たとえば、上記実施形態では、引出底板６１の立設部６２は、断面逆Ｕ字状に形成されているが、この逆Ｕ字の内側に引出ローラ６８を設けてもよい。あるいは、上記実施形態における引出背板８１の下端側に形成してもよい。
【００８５】
・  平坦面２３ａと傾斜面２３ｂとがなす角度は、上記実施形態で例示した１５０度に限らず、変更することができる。また、この角度を変更しても、傾斜面２３ｂの最頂部Ｔの平坦面２３ａからの上下方向長さＨの最大値が引出ローラ６８の半径Ｒよりも小さく、ボックス部１の最も前面側における傾斜面２３ｂの幅方向の長さＺ１がボックス部１のボックス側板３１と引出部６の引出側板７１との間隙距離Ｚ２よりも短ければ、上記実施形態と同様の作用効果を得ることができる。
【００８６】
・  上記実施形態では、傾斜面２３ｂの最頂部Ｔの高さ位置がボックス底板１１の前後方向において一定となるようにしたが、最頂部Ｔの高さ位置が変化するようにしてもよい。たとえば、平坦部２３ａの上り勾配及び下り勾配に合わせて傾斜面２３ｂの最頂部Ｔの高さ位置を変更して、ボックス部１の前後方向において傾斜面２３ｂの幅方向の長さＺ１が一定となるようにしてもよい。また、ボックス部１の前側ほど傾斜面２３ｂの最頂部Ｔの高さ位置が高くなるように形成して、ボックス部１の前側ほど傾斜面２３ｂの幅方向の長さＺ１が大きくなるようにしてもよい。なお、引出部６は、ボックス部１から引き出されるほど幅方向の横ずれが大きくなる可能性がある。したがって、ボックス部１の前側ほど傾斜面２３ｂの幅方向の長さＺ１が大きくなるように形成すると、引出部６の引出ローラ６８が転動面２３から逸脱することをより効果的に抑制することができる。
【００８７】
・  上記実施形態では、引出底板６１の下面（外側面）に二つのリブ６７ａを設け、これら二つのリブ６７ａの間の空間がローラ収容部６７として機能するようにしたが、ローラ収容部６７の構成はこれに限らない。たとえば、引出底板６１の側縁の後方側を内側（上側）に窪むように形成し、この窪み空間がローラ収容部６７として機能するようにしてもよい。
【００８８】
・  上記実施形態では、傾斜面２３ｂの最頂部Ｔの平坦面２３ａからの上下方向長さＨを引出ローラ６８の半径Ｒよりも小さく設定したが、引出ローラ６８の半径Ｒと等しく形成してもよいし、大きく形成してもよい。
【００８９】
・  上記実施形態では、ボックス部１の幅方向における傾斜面２３ｂの長さＺ１がボックス部１のボックス側板３１と引出部６の引出側板７１との間隙距離Ｚ２よりも長くなるように形成した。これを変更して、傾斜面２３ｂの幅方向の長さＺ１の最大値を間隙距離Ｚ２と等しく形成したり、間隙距離Ｚ２よりも短く形成したりしてもよい。
【００９０】
・  上記実施形態では、組み立て式の収納ボックスにおいて、転動面２３の上記構成を適用したが、ボックス部１とボックス部１に対して出し入れ可能な引出部６とを備えた収納ボックスであれば、組み立て式に限らずとも上記の転動面２３の構成を適用することができる。
【００９１】
なお、上記の実施形態の説明及び変更例の説明における「長さが等しい」及び「同じ大きさ」とは、完全に寸法が一致している場合に限らず、各部材がそれぞれの機能を発揮するのに必要な若干の寸法差が許容されているという意味を含むものであることを付言しておく。
【００９２】
次に、上記の実施形態及び変更例から把握できる技術思想について以下に追記する。
・  前面側に開口を有する四角箱状のボックス部と、上面側に開口を有するとともに前記ボックス部に対して出し入れ可能な四角箱状の引出部とを備えた収納ボックスであって、前記ボックス部及び引出部は、底板と該底板の周縁に設けられた周板とを備え、前記ボックス部及び前記引出部は、前記周板が前記底板に対して回動可能に連結されることで組み立て可能に構成され、前記周板の少なくとも一つには該周板の内側面から突出するように支持ヒンジ部が形成されるとともに、該支持ヒンジ部が前記底板に対して回動可能に連結され、前記支持ヒンジ部は、前記周板を起き上がらせた状態において前記底板の外側面に接触して前記底板を支持していることを特徴とする収納ボックス。
【００９３】
・  前面側に開口を有する四角箱状のボックス部と、上面側に開口を有するとともに前記ボックス部に対して出し入れ可能な四角箱状の引出部とを備えた収納ボックスであって、前記ボックス部及び前記引出部は、底板の周縁に設けられた側板及び背板が前記底板に対して回動可能に連結されることで組み立て可能に構成されており、前記底板の側縁には立設部が立設されており、前記側板は前記立設部に連結されているとともに、その回動軸が前記立設部の立設方向に沿ってスライド移動可能であることを特徴とする収納ボックス。
【図面の簡単な説明】
【００９４】
【図１】実施形態における収納ボックスの組み立てた状態の斜視図。
【図２】実施形態における収納ボックスの分解斜視図。
【図３】（ａ）は、実施形態におけるボックス部の組み立て前状態の斜視図。（ｂ）は、実施形態における引出部の組み立て前状態の斜視図。
【図４】（ａ）は、実施形態におけるボックス底板の内側面平面図。（ｂ）は、実施形態におけるボックス底板の外側面平面図。
【図５】（ａ）は、図４（ａ）におけるＡ−Ａ線断面図。（ｂ）は、図４（ａ）におけるＢ−Ｂ線断面図。
【図６】ボックス側板の内側面平面図及びボックス底板の図４（ａ）におけるＣーＣ線断面図。
【図７】（ａ）〜（ｃ）は、図４（ａ）のＥ−Ｅ線断面におけるボックス側板の組み立て態様を示す模式図。
【図８】実施形態におけるボックス背板の斜視図。
【図９】実施形態におけるボックス底板及びボックス背板を下側から見た斜視図。
【図１０】（ａ）〜（ｃ）は、図４（ａ）のＡ−Ａ線断面におけるボックス背板の組み立て態様を示す模式図。
【図１１】ボックス部の側方断面図。
【図１２】図４（ａ）におけるＤ−Ｄ線断面図。
【図１３】（ａ）は、実施形態における引出底板の内側面平面図。（ｂ）は、実施形態における引出底板の外側面平面図。
【図１４】図１３（ａ）におけるＡ−Ａ線断面図。
【図１５】引出側板の内側面平面図及び外側面平面図及び引出底板の図１３（ａ）におけるＣ−Ｃ線断面図。
【図１６】（ａ）〜（ｃ）は、図１３（ａ）のＥ−Ｅ線断面における引出側板の組み立て態様を示す模式図。
【図１７】実施形態における引出背板の斜視図。
【図１８】実施形態における引出底板及び引出背板を下側から見た斜視図。
【図１９】（ａ）〜（ｃ）は、図１３（ａ）のＡ−Ａ線断面における引出背板の組み立て態様を示す模式図。
【図２０】引出部の側方断面図。
【図２１】図１３（ｂ）におけるＤ−Ｄ線断面図。
【符号の説明】
【００９５】
１…ボックス部、１０…ボックス本体、１１…ボックス底板、１２…ボックス底板の立設部、１３…ボックス底板の側板ヒンジ連結部、１３ａ…ボックス底板の側板ヒンジ連結部の溝部、１５…ボックス底板の収容部、１５ａ…ボックス底板の収容部の溝部、１７…脚部、１９…ボックスローラ、２２…穴部、２３…転動面、２３ａ…平坦面、２３ｂ…傾斜面、３１…ボックス側板、３２…ボックス側板の側板ヒンジ部、４１…ボックス背板、４２…ボックス背板の支持ヒンジ部、４２ａ…ボックス背板の支持ヒンジ部の上面、５０…天板、５５…口枠、６…引出部、６０…引出本体、６１…引出底板、６２…引出底板の立設部、６３…引出底板の側板ヒンジ連結部、６３ａ…引出底板の側板ヒンジ連結部の溝部、６５…引出底板の収容部、６５ａ…引出底板の収容部の溝部、６８…引出ローラ、７１…引出側板、７２…引出側板の側板ヒンジ部、８１…引出背板、８２…引出背板の支持ヒンジ部、８２ａ…引出背板の支持ヒンジ部の上面、９０…前面パネル。
【図１】
2010029566.tif 000003
【図２】
2010029566.tif 000004
【図３】
2010029566.tif 000005
【図４】
2010029566.tif 000006
【図５】
2010029566.tif 000007
【図６】
2010029566.tif 000008
【図７】
2010029566.tif 000009
【図８】
2010029566.tif 000010
【図９】
2010029566.tif 000011
【図１０】
2010029566.tif 000012
【図１１】
2010029566.tif 000013
【図１２】
2010029566.tif 000014
【図１３】
2010029566.tif 000015
【図１４】
2010029566.tif 000016
【図１５】
2010029566.tif 000017
【図１６】
2010029566.tif 000018
【図１７】
2010029566.tif 000019
【図１８】
2010029566.tif 000020
【図１９】
2010029566.tif 000021
【図２０】
2010029566.tif 000022
【図２１】
2010029566.tif 000023